【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
第１基板と第２基板の間に負の誘電率異方性を有するネマティック液
晶を有した液晶層が挟持され、１ドット内に反射表示に利用される反射表示領域と、透過表示に利用される透過表示領域とを備えるとともに、光学的に二軸性を有する第１位相差板と光学的に負の一軸性を有する第３位相差板と光学的に正の一軸性を有する第４位相差板とからなる複数の位相差板を有してなり、前記第１基板の外側には、前記第１位相差板と、第１偏光板とが順次配置され、前記第２基板の外側には、前記第３位相差板と、前記第４位相差板と、第２偏光板と、照明手段とが順次配置された液晶表示装置であって、
前記第１位相差板と前記第４位相差板は厚さ方向（Ｚ軸）に垂直な面内の一方向をＸ軸としてその軸方向における屈折率をｎx1，ｎx4、Ｚ軸とＸ軸に垂直な方向をＹ軸としてその軸方向における屈折率をｎy1，ｎy4（ｎx1＞ｎy1，ｎx4＞ｎy4）、Ｚ軸方向の厚みをｄ1，ｄ4としたとき、前記第１位相差板のＸ軸と前記第４位相差板のＸ軸は直交関係にあり、かつ（ｎx1−ｎy1）×ｄ1＝（ｎx4−ｎy4）×ｄ4であることを特徴とする液晶表示装置。
【請求項２】
前記第１位相差板のＸＹ面内とＺ軸方向の位相差値（（ｎx1＋ｎy1）／２−ｎz1）×ｄ1と前記第３位相差板の位相差値（（ｎx3＋ｎy3）／２−ｎz3）×ｄ3は概ね等しいことを特徴とする請求項１に記載の液晶表示装置。
【請求項３】
第１基板と第２基板の間に負の誘電率異方性を有するネマティック液
晶を有した液晶層が挟持され、１ドット内に反射表示に利用される反射表示領域と、透過表示に利用される透過表示領域とを備えるとともに、光学的に二軸性を有する第１位相差板と光学的に正の一軸性を有する第４位相差板とからなる複数の位相差板を有してなり、前記第１基板の外側には、前記第１位相差板と、第１偏光板とが順次配置され、前記第２基板の外側には、前記第４位相差板と、第２偏光板と、照明手段とが順次配置された液晶表示装置であって、
前記第１位相差板と前記第４位相差板は厚さ方向（Ｚ軸）に垂直な面内の一方向をＸ軸としてその軸方向における屈折率をｎx1，ｎx4、Ｚ軸とＸ軸に垂直な方向をＹ軸としてその軸方向における屈折率をｎy1，ｎy4（ｎx1＞ｎy1，ｎx4＞ｎy4）、Ｚ軸方向の厚みをｄ1，ｄ4としたとき、前記第１位相差板のＸ軸と前記第４位相差板のＸ軸は直交関係にあり、かつ（ｎx1−ｎy1）×ｄ1＝（ｎx4−ｎy4）×ｄ4であることを特徴とする液晶表示装置。
【請求項４】
第１基板と第２基板の間に負の誘電率異方性を有するネマティック液
晶を有した液晶層が挟持され、１ドット内に反射表示に利用される反射表示領域と、透過表示に利用される透過表示領域とを備えるとともに、光学的に正の一軸性を有する第６位相差板と光学的に負の一軸性を有する第５位相差板と光学的に二軸性を有する第２位相差板とからなる複数の位相差板を有してなり、前記第１基板の外側には、前記第５位相差板と、前記第６位相差板と、第１偏光板とが順次配置され、前記第２基板の外側には、前記第２位相差板と、第２偏光板と、照明手段とが順次配置された液晶表示装置であって、
前記第２位相差板と前記第６位相差板は厚さ方向（Ｚ軸）に垂直な面内の一方向をＸ軸としてその軸方向における屈折率をｎx2，ｎx6、Ｚ軸とＸ軸に垂直な方向をＹ軸としてその軸方向における屈折率をｎy2，ｎy6（ｎx2＞ｎy2，ｎx6＞ｎy6）、Ｚ軸方向の厚みをｄ2，ｄ6としたとき、前記第２位相差板のＸ軸と前記第６位相差板のＸ軸は直交関係にあり、かつ（ｎx2−ｎy2）×ｄ2＝（ｎx6−ｎy6）×ｄ6であることを特徴とする液晶表示装置。
【請求項５】
前記第５位相差板のＸＹ面内とＺ軸方向の位相差値（（ｎx5＋ｎy5
）／２−ｎz5）×ｄ5と前記第２位相差板の位相差値（（ｎx2＋ｎy2）／２−ｎz2）×ｄ2は概ね等しいことを特徴とする請求項４に記載の液晶表示装置。
【請求項６】
第１基板と第２基板の間に負の誘電率異方性を有するネマティック液
晶を有した液晶層が挟持され、１ドット内に反射表示に利用される反射表示領域と、透過表示に利用される透過表示領域とを備えるとともに、光学的に正の一軸性を有する第６位相差板と光学的に二軸性を有する第２位相差板とからなる複数の位相差板を有してなり、前記第１基板の外側には、前記第６位相差板と、第１偏光板とが順次配置され、前記第２基板の外側には、前記第２位相差板と、第２偏光板と、照明手段とが順次配置された液晶表示装置であって、
前記第２位相差板と前記第６位相差板は、厚さ方向をＺ軸としてその軸方向における屈折率をｎz2，ｎz6、Ｚ軸に垂直な面内の一方向をＸ軸としてその軸方向における屈折率をｎx2，ｎx6、Ｚ軸とＸ軸に垂直な方向をＹ軸としてその軸方向における屈折率をｎy2，ｎy6、Ｚ軸方向の厚みをｄ2，ｄ6としたとき、ｎx2＞ｎy2＞ｎz2，ｎx6＞ｎy6≒ｎz6であり、前記第２位相差板のＸＹ面内とＺ軸方向の位相差値（（ｎx2＋ｎy2）／２−ｎz2）×ｄ2と前記第６位相差板のＸＹ面内とＺ軸方向の位相差値（（ｎx6＋ｎy6）／２−ｎz6）×ｄ6との和Ｗ3は、前記透過表示領域における液晶層の位相差値をＲtとすると、０．５×Ｒt≦Ｗ3≦０．７５×Ｒtであり、前記第２位相差板のＸ軸と前記第６位相差板のＸ軸は直交関係にあるとともに（ｎx2−ｎy2）×ｄ2＝（ｎx6−ｎy6）×ｄ6であることを特徴とする液晶表示装置。
【請求項７】
第１基板と第２基板の間に負の誘電率異方性を有するネマティック液
晶を有した液晶層が挟持され、１ドット内に反射表示に利用される反射表示領域と、透過表示に利用される透過表示領域とを備えるとともに、光学的に二軸性を有する第１位相差板と光学的に負の一軸性を有する第３位相差板とからなる複数の位相差板を有してなり、前記第１基板の外側には、前記第１位相差板と、第１偏光板とが順次配置され、前記第２基板の外側には、前記第３位相差板と、第２偏光板と、照明手段とが順次配置された液晶表示装置であって、
前記第１位相差板のＸＹ面内とＺ軸方向の位相差値（（ｎx1＋ｎy1）／２−ｎz1）×ｄ1と前記第３位相差板の位相差値（（ｎx3＋ｎy3）／２−ｎz3）×ｄ3は概ね等しいことを特徴とする液晶表示装置。
【請求項８】
第１基板と第２基板の間に負の誘電率異方性を有するネマティック液
晶を有した液晶層が挟持され、１ドット内に反射表示に利用される反射表示領域と、透過表示に利用される透過表示領域とを備えるとともに、光学的に負の一軸性を有する第５位相差板と光学的に二軸性を有する第２位相差板とからなる複数の位相差板を有してなり、前記第１基板の外側には、前記第５位相差板と、第１偏光板とが順次配置され、前記第２基板の外側には、前記第２位相差板と、第２偏光板と、照明手段とが順次配置された液晶表示装置であって、
前記第５位相差板のＸＹ面内とＺ軸方向の位相差値（（ｎx5＋ｎy5）／２−ｎz5）×ｄ5と前記第２位相差板の位相差値（（ｎx2＋ｎy2）／２−ｎz2）×ｄ2は概ね等しいことを特徴とする液晶表示装置。
【請求項９】
前記反射表示領域の液晶層厚が前記透過表示領域の液晶層厚よりも小
さいことを特徴とする請求項１から８のいずれか記載の液晶表示装置。
【請求項１０】
前記第１位相差板と前記第４位相差板は１００ｎｍ≦（ｎx1−ｎy1
）×ｄ1＝（ｎx4−ｎy4）×ｄ4≦１６０ｎｍであることを特徴とする請求項１又は請求項３に記載の液晶表示装置。
【請求項１１】
前記第２位相差板と前記第６位相差板は１００ｎｍ≦（ｎx2−ｎy2
）×ｄ2＝（ｎx6−ｎy6）×ｄ6≦１６０ｎｍであることを特徴とする請求項４又は請求項６に記載の液晶表示装置。
【請求項１２】
前記第１位相差板、前記第２位相差板、前記第４位相差板、前記第
６位相差板のうち、少なくとも１つは４５０ｎｍにおける面内位相差値Ｒ(450)と５９０ｎｍにおける面内位相差値Ｒ(590)の比Ｒ(450)／Ｒ(590)が１より小さいことを特徴とする請求項１から１１のいずれか記載の液晶表示装置。